(57)【要約】【課題】使用者が足型台座のうえで踏む動作をすることによって、マッサージの効果を得る。【解決手段】  長方形の基台１、その基台のほぼ中央にばね２０を嵌合支持する対称に形成された２つの円形凹孔１１を設け、その二つの円形凹孔と離れて二つの螺子穴１２を設ける。又、基台の上には、左右対称の二つの足型台座４０を設けて、その足型台の表面にマッサージ棒４２を収容する多数の接合穴４１を形成する。二つの足型台座のかかとには、それぞれ二つの基台に設けられた穴に対応する固定穴４３が設けられ、足のつま先にあたる部分裏側には接合凹穴４４を設ける。二つの足型台座のかかとをネジ３０で結合し、爪先をばねを介して結合し、マッサージ棒をばねを介して多数の結合穴４１の内の適宜のものに挿入することにより、足踏み動作に伴ってばねを介した刺激効果が足裏にあたえられる。【選択図】  図  １
0003109831.tif 000002
【実用新案登録請求の範囲】
【請求項１】
足底マッサージ器の構造であって、
長方形の基台のほぼ中央にばねを固定する為の二つの円形凹孔を左右対称に設けると共に、該凹穴から間隔を置いて螺子を挿通する二つの螺子穴を設け、
又、その基台の上方には足の形をした二つの足型台座を左右対象に配置すると共に、その上面にはマッサージ棒が挿通される多数の小さい穴からなる接合孔が形成されてなり、
その二つの足型型台座のかかと近くに基台に設けられたねじ穴に対応する固定穴をそれぞれ設けると共に、該足型台座の裏側の足のつま先近くには接合凹穴を設けて上記基台の凹孔に固定されたばねの他端を該接合凹穴に固定して足型台座と基台をばねを介して結合することにより、使用者が足型台座の上で踏む動作をするとき、足底をマッサージする効果が得られるようにしてなることを特徴とする、
足底マッサージ器
【請求項２】
上記マッサージ棒は、内部に小さいばねが設置された中空本体からなり、
突っ張り棒を小さいばねの中に嵌合支持して、人の足が踏むときに該ばねの反発力を介して足底にマッサージ効果が得られるようにしてなることを特徴とする、
請求項１記載の足底マッサージ器。
【請求項３】
足底マッサージ器の構造であって、
足底の形に合わせた履物の形態をなし、該履物本体には使用者が履いて使用するために履物本体の前両側から足の甲を覆う覆片を設けてなり、
該履物本体の表面には人体の足底にあるツボに対応した位置に数個の小さい穴からなる接合穴を設けると共に各接合穴内にはそれぞれマッサージ棒が設置され、これらのマッサージ棒は、内部に小さいばねが設置された中空本体からなり、
突っ張り棒を該小さいばねの中に嵌合支持して、人の足が踏むときに該ばねの反発力を介して足底にマッサージ効果が得られるようにしてなることを特徴とする、
足底マッサージ器。
【考案の詳細な説明】
【技術分野】
【０００１】
本考案は、足底マッサージ装置の構造に関し、使用者の姿勢などの悪い癖にたいして矯正効果を有し、マッサージ効果を齎す足底マッサージ器に関する。
【背景技術】
【０００２】
最近、人々はマッサージ商品、とくに体をより快適にする足底マッサージ器に対して関心がもたれ、流行している。それ故、市場では種々の足底マッサージ機器製品が市販されている。しかし、この類の製品は、組み合わせ構造が複雑な為、製造原価が高く、市場での販路拡大が図れない状況にある。また、工業生産過程にマッチせず、使用上の操作も難しく、作動の信頼性も低いために使用者から敬遠され勝ちであり、ついには使用品しなくなる傾向がある。そして、商品の故障率も高い為、常に商品の取替えなどが必要であり、元来使用者の養生のために使われる目的も充分に達せられないでいる。
【特許文献１】特開２００１−３５３２０３号公報
【考案の開示】
【考案が解決しようとする課題】
【０００３】
本考案の主な目的は、足底マッサージの巧妙な構造により、操作及び組み合わせを簡単にしたうえで、マッサージの目的に達することである。そして使用者の姿勢などの悪い癖を改善し、産業界のなかで利用価値、そして経済効果があるものを提供する。
【課題を解決するための手段】
【０００４】
本考案の足底マッサージ器の構造改良の特徴は、長方形の基台を含んでおり、その基台のほぼ中央の部分に二つのいわゆる円形凹孔が左右対称にあり、ここにばねを固定する。そして、その凹穴から間隔を置いたところに二つ螺子穴が設置されており、螺子が入れるようにされている。又、その基台の上方には二つの左右対象となった足の形をした板があり、その板の上にはたくさんの接合孔（小さい穴）が形成されており、マッサージ棒が中に挿入されるように設けられている。そして、その二つの足型板のかかと近くにそれぞれ二つの基台に設置されているねじ穴に対応する固定穴がある。足型台座の裏側の足のつま先近くには接合凹穴を設けられていて、基台の凹孔に固定されたばねの他端が結合されることにより、該ばねを介して足型台座と基台を結合するようにされている。
【考案の効果】
【０００５】
本考案は、上記の構造により、使用者の足が足型台座の上で踏む動作をさせることができ、足底をマッサージする効果をもたせることが出来る。
また、実用性に富み、そして慣習の悪い癖を改善できる商品の発明に成功した。この商品により、製品のグレードアップ、そして消費者と生産者双方にとって利益を齎すものとすることができた。
【考案を実施するための最良の形態】
【０００６】
以下に本考案の具体的内容について図を参照して説明する。
第１図〜第４図は、本考案の構造及び動作態様を示す実施例である。
図１に示すように、長方形の基台１０を備えており、その基台１０のほぼ中央部分にばね２０を嵌合固定する二つの円形凹孔（盲穴）１１が左右対称に形成されている。そして、その凹孔１１から間隔を置いて二つ螺子穴１２が設けられており、螺子３０が嵌合するようにされている。
又、その基台１０の上には二つの左右対象な足形台座４０があり、その足型台座４０にはたくさんの接合孔（小穴）４１が形成されていて、マッサージ棒４２がその中に挿入され、セットされるように設けられている。そして、その二つの足型台座４０の踵近くにそれぞれ上記の二つの基台１０に設けられているねじ穴１２に対応する固定穴４３が設けられている。さらに、その底の裏側の足のつま先近くには接合凹穴４４を設けて、凹孔１１に嵌合したばね２０の他端が嵌合されて、足型台座４０と基台１０とを結合する（図２参照）。
【０００７】
また、該マッサージ棒４２は、図３〜４に示すように、内部に小さいばね４２１が設置された中空の本体からなる。そして、突っ張り棒４２２を該小さいばねの中に嵌合した状態でセットし、その反発力により人の足が踏むときにマッサージ効果を得られるようにされる。
（操作方法）
【０００８】
これらの組み立て工程について、同様に第１図〜第４図に従って説明する。
本考案の組み立ては、上記二つの足型台座４０をそれぞれ螺子３０によって、該足型台座４０のかかとの部位と基台１０を結合し、更に別途、該足型台座４０のつま先部位は接合凹穴４４においてばね２０によって台座１０と結合する。本考案は、この様な構造を採用することによって、組み立てがすばやくでき、外観にしても、非常に簡潔で、洗練されているばかりでなく、製造加工も容易で大量生産が可能である。これにより、コストも下げることができ、経済効果も非常に高いものとなる。
【０００９】
そして、その使用に際しては、（図４の全体組立断面図と共に図１〜３を参照されたい。）、まず、使用者の足が足型台座４０を踏んだとき、足が前に踏込む動作と同時に、下にあるばね２０は押下げられ、このときに使用者の足はマッサージ棒４２の刺激を受ける。以下、このような上下動作の繰り返し動作によって、足底をマッサージする効果が得られる。
特に、マッサージ棒４２には、突っ張り棒４２２及びこれに嵌合して反発力を与える小さなばね４２１からなる構造によって、これらの動作の際にばねの反発力を介して棒が足底に当たる為、更なる快適感が得られる。且つ、当マッサージ棒４２は、使用者の選択によって多数ある接合穴４１の内で何処に設置するかを任意に選択することができ、足底の特定した場所をマッサージしたい人にも好適なマッサージ効果を提供できる。
このように、本考案の操作は簡単だけでなく、著しいマッサージ養生の効果がある。このマッサージ棒４２には、伸縮動作を行なうことができるため、人の足底の予定部位にも効果的なマッサージが出来、特に、人体のツボにマッサージが出来ることによりその効果は著しいものとなる。
【００１０】
また、本考案品の構造は上記のとおり簡単且つ単純であるため、製造工程や加工は簡単で早く、大量生産ができるだけでなく、大量な材料や製造のコストを節約できるものとなる。この結果は、業界にとっても生産効果や経済効果の高いものとなる。
本考案は、特に足底マッサージに適用するのみでなく、座布団、マッサージ棒、或いは、他のマッサージ器具及びスリッパなどに使えることである。図５、図６に示した通り、スリッパとして例を挙げたが、その足底の形をした靴本体５０の表面には数個の接合穴５１を設けて置き、これらの接合穴５１の設置位置は、人体の足底にあるツボに対応したものとする。又、靴本体５０には使用者が履いて使用するために靴本体５０の前両側から足の甲を覆う覆片５２を設ける。
さらに、靴本体５０の各接合穴５１内にはそれぞれマッサージ棒５５が設置され、それぞれのマッサージ棒５５には丸い突っ張り棒５６が設置されている。そして、突っ張り棒５６はばねで支持されて伸縮可能とされ、上述の実施例と同様にそれぞれ人の足底のツボにマッサージ効果がでるように作られている。上記のような作用効果は、本考案を実施することにより、達せられ、実に実用性が高い考案といえる。
その為、全体から見て、本考案は以前の足底マッサージ器の欠点を解消したのみでなく、更に実用性や快適性も向上したものである。
【００１１】
上記の本考案尾特徴を整理すると以下のようになる。
１、操作簡易で、使用者の使用も簡単であり、養生効果を備える。
２、構造が簡潔で組み立てもすばやく簡単に出来る為、労働力や働く時間などが  節約できる。
３、製造コストが大幅低下し、生産利潤が増加できる。
４、業界にとって生産価値が備わったものであり、経済効果にも完全にあうもの  である。
５、堅牢で耐用期間が長く、消費者が常に買い換えることなく長期間の使用が可能。
６、人体工学的に優れ、マッサージによる快適な効果が完全に得られる。
これらの長所により、本考案は新規性及び実用効果に優れ、姿勢の悪い癖を直せる効果がある。
【図面の簡単な説明】
【００１２】
【図１】本考案の立体分解斜視図である。
【図２】本考案の組み立て立体分解見取図である。
【図３】本考案の組み立て分別見取り図である。
【図４】本考案の組立断面図である。
【図５】本考案のスリッパの運用実施例示見取図である。
【図６】本考案のスリッパ実例分解見取り図である。
【符号の説明】
【００１３】
１０    基台
１１    凹孔
１２    螺子穴
２０    ばね
３０    螺子
４０    足型台座
４１    接合穴
４２    マッサージ棒
４３    固定穴
４４    接合凹穴
４２１  小さいばね
４２２  突っ張り棒
５０    靴本体
５１    接合穴
５２    覆片（靴の上を覆い被るもの）
５５    マッサージ棒
５６    突っ張り棒
【図１】
0003109831.tif 000003
【図２】
0003109831.tif 000004
【図３】
0003109831.tif 000005
【図４】
0003109831.tif 000006
【図５】
0003109831.tif 000007
【図６】
0003109831.tif 000008